(57)【特許請求の範囲】
【請求項１】
電動要素と、圧縮要素と、これらの要素を収納する互いに連結した上シェルと下シェルとにより形成された密閉容器とからなり、前記下シェルは底面部と前記底面部に連結する底面部より曲率が大であるコーナー部と前記コーナー部に連結しほぼ鉛直上方へ向けて形成された側面部と前記側面部の上端が形成する開口部とからなり、前記側面部と前記コーナー部と前記側面部にまたがる内側に凸な複数個のリブを前記底面部に対して放射状に設け、脚部を少なくとも２個以上の前記リブに固着し、前記下シェルの開口部から前記側面部と前記コーナー部と前記底面部にまたがり形成された複数個の前記リブが前記底面部で連結し、前記下シェルの表面が前記リブによって複数に分割された密閉型電動圧縮機。
【請求項２】
下シェルに形成される複数個のリブが底面部の外周を不均等に分割する位置に配置された請求項１記載の密閉型電動圧縮機。
【発明の詳細な説明】
【０００１】
【発明の属する技術分野】
本発明は、冷蔵庫等に使用される密閉型電動圧縮機に係わり、特に密閉型電動圧縮機の密閉容器の共振によって生じる騒音の低減に関するものである。
【０００２】
【従来の技術】
近年、密閉型電動圧縮機は、小型化，低騒音化が強く要求されている。
【０００３】
従来の密閉型電動圧縮機としては、特許第２６０９７１３号公報に示されているものがある。
【０００４】
以下、図７を参照しながら、上記した特許第２６０９７１３号公報に示されている従来の密閉型電動圧縮機について説明する。
【０００５】
図７は、従来の密閉型電動圧縮機の縦断面図である。
【０００６】
図７において、電動要素１０１と圧縮要素１０２とからなる電動圧縮要素１０３が互いに連結した上シェル１０４と下シェル１０５とからなる密閉容器１０６に収納されている。下シェル１０５には、大曲率部１０７と小曲率部１０８にまたがるように、水平方向に形成された平坦部１０９があり、この平坦部１０９にコイルばね１１０を設置して電動圧縮要素１０３を支持するようにしている。また、密閉容器１０６を位置決め固定する脚部１１１が大曲率部１０７に固着している。
【０００７】
以上のように構成された従来の密閉型電動圧縮機について、以下その動作を説明する。
【０００８】
図７の密閉型電動圧縮機の構成は、下シェル１０５底部に電動圧縮要素１０３を支持するコイルばね１１０を設置すべき水平方向の平坦部１０９を、大曲率部１０７と小曲率部１０８にまたがるように設けることにより、下シェル１０５の剛性を高め、下シェル１０５の底面の振動を低減し、コイルばね１１０設置部から外部へ伝播する振動を抑制する効果を得ようとするものである。
【０００９】
【発明が解決しようとする課題】
しかしながら、上記従来の構成では、下シェル１０５底部の一部分の剛性を高めることはできるが、下シェル１０５底部に小曲率部１０８が広く残るため、大曲率部１０７の中央が腹部となり、小曲率部１０８が節部となる共振モードを抑制することができず、下シェル１０５底部の共振によって発生する騒音を低減する十分な効果は得られないという課題を有していた。さらに、脚部１１１を剛性の高い大曲率部１０７に固着するだけでは、下シェル１０５底部の共振モードによって、脚部１１１も連成共振し、脚部１１１の共振によって発生する騒音を十分に低減することはできないという課題も有していた。
【００１０】
本発明は従来の課題を解決するもので、下シェルの底面部の共振モードを抑制し共振によって発生する騒音を低減し、さらに底面部と脚部との連成共振を抑制し脚部の共振によって発生する騒音を低減する密閉型電動圧縮機を提供することを目的とする。
【００１１】
【課題を解決するための手段】
この目的を達成するため本発明は、下シェルの側面部とコーナー部と底面部にまたがる内側に凸な複数個のリブを底面部に対して放射状に設け、かつ脚部を少なくとも２個以上のリブに固着させ、さらに、下シェルの開口部から側面部とコーナー部と底面部にまたがり形成された複数個のリブが互いに底面部で連結し、下シェルの表面が前記リブによって複数に分割されたものである。
【００１２】
これにより、底面部の共振モードを抑制し、底面部の共振によって発生する騒音を低減することができ、さらに脚部をリブに固着することによって、底面部と脚部の連成共振によって脚部から発生する騒音を低減することができ、また、底面部と側面部の共振モードを十分に分割し、かつリブによって分割された各面の共振周波数をずらし、各分割面の共振レベルを低減することで底面部と側面部から発生する騒音を低減することができ、さらに脚部をリブに固着することによって、底面部と脚部の連成共振によって脚部から発生する騒音を低減することができる。
【００１３】
また、下シェルに形成される複数個のリブが、底面部の外周を不均等に分割する位置に配置され、かつ脚部を少なくとも２個以上のリブに固着させたものである。
【００１４】
これにより、底面部の共振モードの形態を変化させ、底面部の共振によって発生する騒音を低減することができ、さらに脚部をリブに固着することによって、底面部と脚部の連成共振によって脚部から発生する騒音を低減することができる。
【００１７】
【発明の実施の形態】
本発明は、電動要素と、圧縮要素と、これらの要素を収納する互いに連結した上シェルと下シェルとにより形成された密閉容器とからなり、前記下シェルは底面部と前記底面部に連結する底面部より曲率が大であるコーナー部と前記コーナー部に連結しほぼ鉛直上方へ向けて形成された側面部と前記側面部の上端が形成する開口部とからなり、前記側面部と前記コーナー部と前記側面部にまたがる内側に凸な複数個のリブを前記底面部に対して放射状に設け、脚部を少なくとも２個以上の前記リブに固着したものである。
【００１８】
そして、側面部と剛性の高いコーナー部と底面部にまたがるようにリブを設けることにより、前記底面部の共振モードが抑制され、また、前記リブを前記底面部に対して放射状に設けることにより、前記底面部の共振モードの発生しやすい小曲率面を減少させることができ、前記底面部の共振によって発生する騒音を効果的に低減することとなる。さらに、前記底面部と連成共振しない前記リブに脚部を固着することによって、前記底面部と前記脚部の連成共振を抑制し、前記脚部から発生する騒音を低減することとなる。
【００１９】
さらに、下シェルの開口部から側面部とコーナー部と底面部にまたがり形成された複数個のリブが前記底面部で連結し、前記下シェルの表面が前記リブによって複数に分割され、かつ脚部を少なくとも２個以上の前記リブに固着したものである。
【００２０】
そして、この構成により、底面部と側面部の共振モードを十分に分割し、かつリブによって分割された各面の共振周波数をずらし、各分割面共振レベルを低減し、前記底面部と側面部の共振によって発生する騒音を低減することとなる。さらに、前記底面部と連成共振しない前記リブに脚部を固着することによって、前記底面部と前記脚部の連成共振を抑制し、前記脚部から発生する騒音を低減することとなる。
【００２１】
また、下シェルに形成される複数個のリブが底面部の外周を不均等に分割する位置に配置され、かつ脚部を少なくとも２個以上の前記リブに固着したものである。
【００２２】
そして、この構成により、底面部の形状が非対称形状となり、前記底面部の共振モードの形態が変化し、前記底面部の共振によって発生する騒音を低減することとなる。さらに、前記底面部と連成共振しない前記リブに脚部を固着することによって、前記底面部と前記脚部の連成共振を抑制し、前記脚部から発生する騒音を低減することとなる。
【００２３】
以下、本発明による密閉型電動圧縮機の実施例について、図面を参照しながら説明する。
【００２４】
（参考例１）
図１は、参考例１による密閉型電動圧縮機の縦断面図である。図２は、同参考例の下シェルの平面図である。図３は、同参考例の密閉型電動圧縮機の課題となる共振モードのモード図である。
【００２５】
図１，図２において、１は密閉型電動圧縮機で、上シェル２と下シェル３を互いに連結した密閉容器４内に、上方に圧縮要素５、下方に電動要素６が収納されている。圧縮要素５は、ブロック７と一体に設けられたシリンダー８，ピストン９，クランクシャフト１０，コンロッド１１，ベアリング１２等により構成されている。また、電動要素６は、ローター１３，ステーター１４より構成されており、ローター１３はクランクシャフト１０に焼ばめ固定され、ステーター１４はブロック７にねじ止め固定されていることで圧縮要素５と電動要素６が一体となり、電動圧縮要素１５を形成している。
【００２６】
下シェル３は、底面部１６と、底面部１６に連結し底面部１６より曲率が大であるコーナー部１７と、コーナー部１７と連結しほぼ鉛直上方へ向けて形成された側面部１８と、側面部１８の上端が形成する開口部１９とからなり、開口部１９が略楕円形状である。底面部１６とコーナー部１７と側面部１８にまたがる内側に凸なリブ２０，２１が設けられている。このリブ２０，２１は、底面部１６に対して放射状に設けられ、底面部１６の中央に向かって深くなるように構成されている。
【００２７】
さらに、密閉型電動圧縮機１を位置決め固定する脚部２２がリブ２０，２１に固着されている。
【００２８】
以上のように構成された密閉型電動圧縮機について、以下その動作を説明する。
【００２９】
電動圧縮要素１５からは、圧縮要素５の摺動音や電動要素６の回転音などの様々な騒音が発生する。これらの騒音によって、密閉容器４が加振される。
【００３０】
一方、密閉容器４は加振に対して特定周波数で共振を起こすモードを有し、例えば、本実施例の場合、図３に示す底面部１６の中央が腹部となり、コーナー部１７が節部となる共振モードが騒音の主体要因であったとする。
【００３１】
リブ２０，２１は、共振モードの腹部となる底面部１６と共振モードの節部となるコーナー部１７と側面部１８にまたがるように底面部１６に放射状に設けることによって、底面部１６の図３に示すような共振モードの起こりやすい小曲率面を減少させることができ、共振モードを抑制することができる。また、リブ２０，２１が底面部１６の中央に向かって深くなるように設けられることによって、底面部１６の剛性が上がり、効果的に底面部１６の共振モードを抑制することができる。
【００３２】
さらに、図３に示すような底面部１６と脚部２２の連成共振によって、脚部２２から発生する騒音の課題に対して、底面部１６と連成共振しないリブ２０，２１に脚部２２を固着することによって、底面部１６と脚部２２の連成共振を抑制することができる。
【００３３】
以上のように本参考例の密閉型電動圧縮機は、互いに連結した上シェル２と下シェル３とからなる密閉容器４内に圧縮要素５と電動要素６を収納したものであって、下シェル３に底面部１６とコーナー部１７と側面部１８にまたがるリブ２０，２１を底面部１６に対して放射状に設けたことにより、底面部１６の共振によって発生する騒音を低減し、さらに、脚部２２をリブ２０，２１に固着したことにより、脚部２２が底面部１６と連成共振することによって発生する騒音を低減することができる。
【００３４】
（実施例１）
図４は、本発明の実施例１による密閉型電動圧縮機の下シェルの平面図である。参考例１と同一構成については同一符号を付して詳細な説明を省略する。
【００３５】
図４において、下シェル３に形成されたリブ２３とリブ２４とは１８０°ずれ、リブ２４とリブ２５とは６０°ずれた位置に配置され、底面図１６の外周を不均等に分割している。
【００３６】
さらに、脚部２２がリブ２３，２４に固着されている。
【００３７】
以上のように構成された密閉型電動圧縮機について、以下その動作を説明する。
【００３８】
リブ２３，２４，２５が、底面部１６の外周を不均等に分割する位置に配置されることによって、底面部１６の形状が非対称形状となり、図３に示す底面部１６が共振の腹部になり、コーナー部１７が共振の節部になる共振モードを崩すことができる。
【００３９】
さらに、図３に示すような底面部１６と脚部２２の連成共振によって、脚部２２から発生する騒音の課題に対して、底面部１６と連成共振しないリブ２３，２４に脚部２２を固着することによって、底面部１６と脚部２２の連成共振を抑制することができる。
【００４０】
以上のように本実施例の密閉型電動圧縮機は、下シェル３の底面部１６に形成されたリブ２３，２４，２５が底面部１６の外周を不均等に分割する位置に配置されたことにより、底面部１６の共振によって発生する騒音を低減し、さらに、脚部２２をリブ２３，２４に固着したことにより、脚部２２が底面部１６と連成共振することによって発生する騒音を低減することができる。
【００４１】
（実施例２）
図５は、本発明の実施例２による密閉型電動圧縮機の下シェルの縦断面図である。図６は、同実施例の下シェルの平面図である。参考例１と同一構成については同一符号を付して詳細な説明を省略する。
【００４２】
図５，図６において、リブ２６，２７，２８は、下シェル３の開口部１９から側面部１８とコーナー部１７と底面部１６にまたがり形成され、底面部１６で互いに連結している。リブ２６とリブ２７とは１８０°ずれ、リブ２７とリブ２８とは６０°ずれた位置に配置され、下シェル３の表面はリブ２６，２７，２８によって分割されている。
【００４３】
さらに、脚部２２がリブ２６，２７に固着されている。
【００４４】
以上のように構成された密閉型電動圧縮機について、以下その動作を説明する。
【００４５】
リブ２６，２７，２８が、開口部１９から側面部１８とコーナー部１７と底面部１６にまたがり、底面部１６中央で互いに連結するように形成されることによって、底面部１６の共振モードを十分に分割し抑制することができると共に、開口部１６から形成されることによって側面部１７の共振モードも分割し抑制することができる。また、リブ２６，２７，２８の底面部１６の外周を不均等に分割する位置に配置されることによって、底面部１６および側面部１８の形状が非対称となり、各分割面での共振周波数をずらすことができ、共振レベルを小さくすることができる。
【００４６】
さらに、図３に示すような底面部１６と脚部２２の連成共振によって、脚部２２から発生する騒音の課題に対して、底面部１６と連成共振しないリブ２６，２７に脚部２２を固着することによって、底面部１６と脚部２２の連成共振を抑制することができる。
【００４７】
以上のように本実施例の密閉型電動圧縮機は、下シェル３の開口部１９から側面部１８とコーナー部１７と底面部１６にまたがり形成されたリブ２６，２７，２８が底面部１６で互いに連結し、下シェル３の表面が底面部１６の外周を不均等に分割する位置に配置されたリブ２６，２７，２８によって分割されることによって、底面部１６および側面部１８の共振によって発生する騒音を効果的に低減し、さらに、脚部２２をリブ２６，２７に固着したことにより、脚部２２が底面部１６と連成共振することによって発生する騒音を低減することができる。
【００４８】
【発明の効果】
以上説明したように本発明は、電動要素と、圧縮要素と、これらの要素を収納する互いの連結した上シェルと下シェルとにより形成された密閉容器とからなり、前記下シェルは底面部と前記底面部に連結する前記底面部より曲率が大であるコーナー部と前記コーナー部に連結しほぼ鉛直上方へ向けて形成された側面部と前記側面部の上端が形成する開口部とからなり、前記側面部と前記コーナー部と前記底面部にまたがる内側に凸な複数個のリブを前記底面部に放射状に設け、脚部を少なくとも２個以上の前記リブに固着し、さらに前記下シェルの開口部から前記側面部と前記コーナー部と前記底面部にまたがり形成された複数個の前記リブが前記底面部で連結し、前記下シェルの表面が前記リブによって複数に分割されたことにより、前記底面部の共振しやすい小曲率面を減少させ、共振モードを抑制し、前記底面部の共振によって発生する騒音を低減することができ、さらに、前記脚部と前記底面部との連成共振を抑制し、前記脚部から発生する騒音を低減することができるとともに、前記底面部および前記側面部の共振モードを十分に分割し、各分割面の共振周波数をずらすことで、前記底面部および前記側面部の共振によって発生する騒音を効果的に低減することができる。
【００４９】
また、さらに下シェルに形成される複数個のリブが前記底面部の外周を不均等に分割する位置に配置されたことにより、前記底面部の共振モードの形態を変化させることができ、前記底面部の共振によって発生する騒音を低減することができる。
【図面の簡単な説明】
【図１】  密閉型電動圧縮機の参考例１の縦断面図
【図２】  同参考例の下シェルの平面図
【図３】  同参考例の課題となる共振モードのモード図
【図４】  本発明による密閉型電動圧縮機の実施例１の下シェルの平面図
【図５】  本発明による密閉型電動圧縮機の実施例２の下シェルの縦断面図
【図６】  同実施例の下シェルの平面図
【図７】  従来の密閉型電動圧縮機の縦断面図
【符号の説明】
１  密閉型電動圧縮機
２  上シェル
３  下シェル
４  密閉容器
５，９  ピストン
６  電動要素
１０  クランクシャフト
１６  底面部
１７  コーナー部
１８  側面部
１９  開口部
２０，２１，２３，２４，２５，２６，２７，２８  リブ
２２  脚部
【図１】
0004269404.tif 000002
【図２】
0004269404.tif 000003
【図３】
0004269404.tif 000004
【図４】
0004269404.tif 000005
【図５】
0004269404.tif 000006
【図６】
0004269404.tif 000007
【図７】
0004269404.tif 000008